(57)【要約】【課題】部品点数を増加させることなく駆動力を確実に付与でき、簡素な構成で表示切替を確実に行うことのできる表示切替装置を提供する。【解決手段】回転表示部７３の駆動源として共振圧電モータ７４を使用し、駆動する方向に応じた共振を電圧の印加に基づいて励起させることにより、動力伝達部材を介することなく回転表示部７３を駆動することができ、駆動系の構成を簡素化することができる。また、動力伝達部材を省くことができるので、冷温表示部７を小型化することができる。【選択図】　図３
2004054524.tif 000002
【特許請求の範囲】
【請求項１】
外面に複数の表示面を有する表示部と、
前記表示部を回転自在に支持する支持部と、
前記複数の表示面から選択された表示面を表示するように前記表示部を直に駆動する共振圧電モータとを有することを特徴とする表示切替装置。
【請求項２】
前記表示部は、回転軸に設けられて回転量を規制する回転規制部を有することを特徴とする請求項第１項記載の表示切替装置。
【請求項３】
前記支持部は、前記表示部の回転軸に設けられるカム部を軸支する軸受部と、
前記選択された表示面が表示を維持するように前記カム部を保持する保持部を有することを特徴とする請求項第１項記載の表示切替装置。
【請求項４】
複数の表示面を有する表示部と、
前記表示部を往復移動自在に支持する支持部と、
前記複数の表示面から選択された表示面を表示するように前記表示部を直に駆動する共振圧電モータとを有することを特徴とする表示切替装置。
【請求項５】
前記表示部は、幕状の表示部であることを特徴とする請求項第４項記載の表示切替装置。
【請求項６】
前記支持部は、前記幕状の表示部を屈曲させる軸部材であることを特徴とする請求項第５項記載の表示切替装置。
【請求項７】
前記支持部は、前記幕状の表示部を張架する複数の軸部材を有することを特徴とする請求項第５項記載の表示切替装置。
【請求項８】
前記幕状の表示部は、第１の面および第２の面に前記複数の表示面を有することを特徴とする請求項第５項記載の表示切替装置。
【請求項９】
前記幕状の表示部は、第１の面に前記複数の表示面を有することを特徴とする請求項第５項記載の表示切替装置。
【請求項１０】
前記幕状の表示部は、垂直方向に移動することによって前記複数の表示面から選択された表示面を表示することを特徴とする請求項第５項記載の表示切替装置。
【請求項１１】
前記幕状の表示部は、水平方向に移動することによって前記複数の表示面から選択された表示面を表示することを特徴とする請求項第５項記載の表示切替装置。
【請求項１２】
前記表示部は、近傍に設けられる光源から照射される光によって透過照明されることを特徴とする請求項第１項から第１１項の何れかに記載の表示切替装置。
【請求項１３】
前記表示部は、自動販売機に収容される販売商品のＨＯＴ又はＣＯＬＤの冷温表示に応じた前記複数の表示面を有することを特徴とする請求項第１項から第１２項の何れかに記載の表示切替装置。
【発明の詳細な説明】
【０００１】
【発明の属する技術分野】
本発明は、表示切替装置に関し、特に、自動販売機で販売される飲料の種類（ＨＯＴ又はＣＯＬＤ）、価格表示、あるいは売り切れ表示等の表示の切り替えを行う表示切替装置に関する。
【０００２】
【従来の技術】
従来、缶飲料やカップ式飲料を販売する自動販売機において、加温装置および冷却装置を備え、温かい商品（ＨＯＴ商品）と冷たい商品（ＣＯＬＤ商品）を販売商品として販売するものがある。このような自動販売機では、購買者が販売商品を選択する際に誤った選択をしないように、販売商品についてＨＯＴ表示あるいはＣＯＬＤ表示を商品サンプルの近傍に付している。
【０００３】
ＨＯＴ表示あるいはＣＯＬＤ表示を有する自動販売機として、例えば、特開２００１−１２６１３０号公報に開示されるものがある。
【０００４】
特開２００１−１２６１３０号の自動販売機は、透明パネルで覆われた商品サンプル室に多数の商品サンプルを配置しており、各商品サンプルの下方には、販売商品の種類（ＨＯＴあるいはＣＯＬＤ）を表示する表示板と商品選択ボタンがそれぞれ設けられている。表示板は、表示板ホルダに収容されて透明パネルの商品サンプル室側に配置される。表示板は、青色の背景に「つめた〜い」と文字が書かれた冷表示部と、赤色の背景に「あたたか〜い」と文字が書かれた温表示部と、白色の背景に販売価格が書かれた価格表示部を有し、冷表示部と温表示部は、価格表示部を間に介して表示板上に上下対称に配置されている。また、価格表示部は、冷表示部および温表示部に対応して販売価格が認識できるように価格の数字がぞれぞれ上下逆さで一線状に明記されるとともに一部の数字を共有している。
【０００５】
表示板による冷温表示の切り替えは、サービスマン等の手操作によって行われる。例えば、「つめた〜い」の表示を「あたたか〜い」に切り替える場合、サービスマンは表示板ホルダに収容されている表示板をつまみ上げて上下反転し、表示板ホルダに収容することで「あたたか〜い」の表示が現れる。
【０００６】
このような冷温表示の切り替えによれば、表示板を交換する必要がないので部品点数を増加させずに冷温表示を切り替えることができるが、表示板を手操作で差し替えるという手間が発生する。特に、多数の販売商品を取り扱う自動販売機では、前述の差し替えに要する手間が大になって作業が煩雑になる。
【０００７】
このような冷温表示の切り替えが簡単に行なえる自動販売機として、例えば、特開平６−１０３４４９号公報に開示されるものがある。この自動販売機には、商品見本を搭載するディスプレイ台の内部に回転操作体と、プーリーと、タイミングベルトとによって回転駆動され、表面にＨＯＴおよびＣＯＬＤの文字が書かれた冷温パターン表示シートを有する回転ドラム体が設けられており、回転操作体を手操作あるいはモータで駆動することによりＨＯＴあるいはＣＯＬＤの表示を切り替えることができる。
【０００８】
【発明が解決しようとする課題】
しかし、従来の表示切替装置によると、冷温表示を切り替えるのに必要な駆動力をベルト等の動力伝達部材を介して伝達しているため、部品点数が増加して装置コストが大になるとともに構成の複雑化を招くという問題がある。
【０００９】
従って、本発明の目的は、部品点数を増加させることなく駆動力を確実に付与でき、簡素な構成で表示切替を確実に行うことのできる表示切替装置を提供することにある。
【００１０】
【課題を解決するための手段】
本発明は上記した目的を達成するため、外面に複数の表示面を有する表示部と、
前記表示部を回転自在に支持する支持部と、
前記複数の表示面から選択された表示面を表示するように前記表示部を直に駆動する共振圧電モータとを有する表示切替装置を提供する。
【００１１】
また、本発明は上記した目的を達成するため、複数の表示面を有する表示部と、
前記表示部を往復移動自在に支持する支持部と、
前記複数の表示面から選択された表示面を表示するように前記表示部を直に駆動する共振圧電モータとを有する表示切替装置を提供する。
【００１２】
上記した表示切替装置によると、共振圧電モータで表示部の駆動に必要な駆動力を発生させる。共振圧電モータは通電に基づいて励起される振動を駆動力として表示部を直に伝達する。
【００１３】
【発明の実施の形態】
以下、本発明の表示切替装置を図面を参照して詳細に説明する。
【００１４】
図１は、本発明の第１の実施の形態に係る缶飲料の自動販売機を示し、自動販売機本体１の前面に設けられる前面パネル２と、前面パネル２によって覆われた商品展示部３と、商品展示部３に展示される商品サンプル４と、商品サンプル４を搭載して展示する商品展示台５と、前面パネル２に取り付けられて複数の商品サンプル４に対応した複数の押釦６Ａを有する選択スイッチ部６と、押釦６Ａに近接して販売商品のＨＯＴ又はＣＯＬＤの冷温表示を行う冷温表示部７と、自動販売機本体１の前面に設けられて紙幣を挿入するための紙幣挿入部８と、投入金額を表示する金額表示部９と、貨幣（コイン）を投入するためのコイン投入口１０と、投入した金銭を返却させるための返却レバー１１と、コインを返却するコイン返却口１２と、販売商品を取り出すための商品取出口１３と、自動販売機本体１を支持する支持脚１４とを有する。
【００１５】
図２は、商品展示部３の部分側面を示し、商品展示台５の下部には、商品サンプル４を透過照明するための蛍光灯５Ａが設けられており、蛍光灯５Ａは、商品展示台５に設けられる図示しない開口から商品サンプル４の内部に光を照射する。また、蛍光灯５Ａは、前面パネル２が設けられる方向に配置されている冷温表示部７に対して光を照射する。冷温表示部７は、照射される光に基づいて透過照明されるようになっている。
【００１６】
図３は、冷温表示部７を示し、ＨＯＴ表示面７３ＡおよびＣＯＬＤ表示面７３Ｂを表面に有する回転表示部７３と、回転軸７２に接触して回転表示部７３を回転駆動する共振圧電モータ７４と、回転表示部７３および共振圧電モータ７４を収容するケース７０とを有し、ケース７０は説明を容易にするために上部と、右側面と、および正面の前面カバー７０Ａとを開放している。共振圧電モータ７４は、圧電材料の共振に基づいてセラミックスペーサ７４Ａを回転軸７２に離接させることにより駆動力を付与するようになっている。具体的なものとしてはイスラエル国のナノモーション・リミテッド社を出願人とする特開平７−１８４３８２号公報に開示される「ナノモータ」が知られている。また、表示切替信号の入力に基づいて通電信号を出力する冷温表示制御部１５と、通電信号の入力に基づいて一定時間で共振圧電モータ７４に交流電圧（以下、電圧という）を印加する通電部１６とを有している。
【００１７】
ケース７０は、光透過性を有する樹脂材料で形成されている。また、同図においては単一のケース形状を有しているが、例えば、複数のケースを連結して形成しても良い。
【００１８】
回転軸７２は、ケース７０の軸受部７１Ａ（図示せず）および７１Ｂによって回転自在に支持されており、共振圧電モータ７４が位置する側の回転軸７２には、回転量を規制してＨＯＴ表示面７３ＡおよびＣＯＬＤ表示面７３Ｂを適切な位置に配置するための回転規制突起７２Ａが設けられている。この回転規制突起７２Ａは、軸受部７１Ａに設けられるガイド溝７０Ｄ（図示せず）に収容される。また、共振圧電モータ７４が位置する側と反対側の回転軸７２には、大径部７２Ｂおよび小径部７２Ｃからなるカム部が設けられて軸受部７１Ｂに軸支されており、回転表示部７３が不用意に回転することのないように保持している。
【００１９】
回転表示部７３は、樹脂材料で形成された四角柱状の部材であり、その表面に「ＨＯＴ」および「ＣＯＬＤ」の文字がシールによって貼り付けられている。また、これらの文字は印刷等の他の方法によって設けることもできる。例えば、蛍光塗料で書き込むことにより、光の照射や透過によって文字部分の輝度を大にできる。
【００２０】
冷温表示制御部１５は、例えば、サービスマン等のオペレータによって表示切替信号が入力されるようになっている。
【００２１】
以下、第１の実施の形態に係る冷温表示部７の動作について説明する。
【００２２】
図４は、ＨＯＴ表示およびＣＯＬＤ表示における冷温表示部７の各部の状態を示し、ＨＯＴ表示について（ａ）は左側面、（ｂ）は正面、（ｃ）は右側面を示す。また、ＣＯＬＤ表示について（ｄ）は左側面、（ｅ）は正面、（ｆ）は右側面を示す。ＨＯＴ表示時にはＨＯＴ表示面７３Ａが回転表示部７３の正面側に配置され、（ｂ）に示すように開口部７０Ｂを介して表示される。ＣＯＬＤ表示面７３Ｂは回転表示部７３の上面側に配置される。この場合には（ａ）に示すように、回転軸７２の小径部７２Ｃが前方側の保持部７１Ｃに保持されることにより、回転表示部７３が振動等の外力によって不用意に回転しないようになっている。
【００２３】
ＨＯＴ表示からＣＯＬＤ表示に切り替えるときは、（ｃ）に示す回転軸７２を反時計方向に回転させるように共振圧電モータ７４に通電する。共振圧電モータ７４は通電に基づいて共振を生じ、セラミックスペーサ７４Ａを回転軸７２に離接させる。回転軸７２は、励起された共振に基づいて反時計方向の駆動力を伝達されることにより回転し、（ａ）に示す小径部７２Ｃが軸受部７１Ｂの段部７１Ｄを乗り越えることによって後方側の保持部７１Ｃに保持される。この回転時に回転中心Ｃが垂直方向に変位を生じるが、大径部７２Ｂは軸受部７１Ｂに内接しながら移動して変位を許容するようになっている。
【００２４】
ＣＯＬＤ表示からＨＯＴ表示に切り替えるときは、（ｆ）に示す回転軸７２を時計方向に回転させるように共振圧電モータ７４に通電する。共振圧電モータ７４は通電に基づいて共振を生じ、セラミックスペーサ７４Ａを回転軸７２に離接させる。回転軸７２は、励起された共振に基づいて時計方向の駆動力を伝達されることにより回転し、（ｄ）に示す小径部７２Ｃが軸受部７１Ｂの段部７１Ｄを乗り越えることによって前方側の保持部７１Ｃに保持される。この回転時にも回転中心Ｃが垂直方向に変位を生じるが、大径部７２Ｂは軸受部７１Ｂに内接しながら移動して変位を許容するようになっている。
【００２５】
図５は、共振圧電モータ７４を示し、（ａ）は側面を開放した状態、（ｂ）は（ａ）に示す圧電材料である圧電セラミック７４０の背面を示す。圧電セラミック７４０は、１２ｍｍ×７ｍｍ×１ｍｍのサイズで形成されている。この形状は、所望の駆動力を発生させるのに必要な水平方向および垂直方向に対する共振特性および材料に応じて定まる。また、圧電セラミック７４０は、一方の面に図示するように電極７４１、７４２、７４３、および７４４が設けられている。各電極はめっき等の方法によって形成することができる。セラミックスペーサ７４Ａは、接着の固定方法によって圧電セラミック７４０に取り付けられている。また、（ｂ）に示すように、背面側には同様の方法によって略全面に電極７５１が設けられている。電極７４１、７４２、７４３、および７４４は、図３で説明した通電部１６によって電圧を印加される。また、電極７５１は接地されている。
【００２６】
圧電セラミック７４０は、電圧の印加に応じた変形を生じることにより、セラミックスペーサ７４Ａに規則的な動きを生じさせる。圧電セラミック７４０は、剛性の大なる樹脂材料又は金属材料からなるケース７５０に収容されており、セラミックスペーサ７４Ａを開口部７５０Ａから外部に露出させている。また、長縁部の一方が固定支持体７４５および７４６で支持されている。また、長縁部の他方が弾性支持体（例えば、シリコンゴムからなる円筒体）７４７および７４８によって弾性的に支持されている。また、セラミックスペーサ７４Ａが設けられる場所と反対側の短縁部が弾性支持体７４９によってケース７５０に対して弾性的に支持されている。固定支持体７４５および７４６は、圧電セラミック７４０の長縁部に沿って移動を許容するように構成されている。
【００２７】
図６は、共振圧電モータ７４が回転軸７２を駆動する状態を示し、図５に示す電極７４１と７４４に電圧を印加し、電極７４２と７４３を接地状態としたとき、圧電セラミック７４０には、水平方向Ｘおよび垂直方向Ｙについて（ａ）に示すような共振が励起される。弾性支持体７４９は、弾性力によってセラミックスペーサ７４Ａを回転軸７２に付勢するとともに圧電セラミック７４０の水平方向Ｘへの変位を弾性的に吸収する。また、弾性支持体７４７および７４８も同様に圧電セラミック７４０の垂直方向Ｙへの変位を弾性的に吸収する。このような通電パターンに基づいて生じる共振と弾性支持体７４７、７４８、および７４９の時間応答性に基づいてセラミックスペーサ７４Ａが楕円状の軌跡を描きながら回転軸７２と離接することによりＡ方向の駆動力を回転軸７２に伝達する。
【００２８】
また、電極７４１と７４４を接地状態とし、電極７４２と７４３に電圧を印加したときは、圧電セラミック７４０には、水平方向Ｘおよび垂直方向Ｙについて（ｃ）に示すような共振が励起される。このような圧電セラミック７４０に生じる変形に基づいてセラミックスペーサ７４Ａは楕円状の軌跡を描きながら回転軸７２と離接することにより（ｄ）に示すようにＢ方向の駆動力を回転軸７２に伝達する。
【００２９】
このように電極７４１、７４２、７４３、および７４４への通電パターンを回転表示部７３の回転方向に応じて設定し、励起された共振に基づく駆動力をセラミックスペーサ７４Ａを介して直に伝達して回転軸７２を回転させることによりＨＯＴ表示およびＣＯＬＤ表示の切り替えが行われる。
【００３０】
上記した構成によると、回転表示部７３の駆動源として共振圧電モータ７４を使用し、駆動する方向に応じた電圧の印加に基づいて共振を励起させることにより、動力伝達部材を介することなく回転表示部７３を直に回転駆動することができるので、駆動系の構成を簡素化することができる。また、動力伝達部材を省くことができることから、冷温表示部７を小型化することができる。
【００３１】
なお、上記した説明では、ひとつの冷温表示部７の動作について説明したが、表示切替信号に基づいて複数の冷温表示部７を同時に操作することができる。
【００３２】
また、共振圧電モータ７４は、非駆動時にセラミックスペーサ７４Ａが弾性支持体７４７、７４８、および７４９の弾性力によって回転表示分７３に押し当てられるので制動部材として作用し、そのことによって不用意な回転を防止できることから、上記したカム部と軸受部７１Ｂを省略しても良い。
【００３３】
また、共振圧電モータ７４は、位置決め性に優れることから、上記した回転規制突起７２Ａとガイド溝７０Ｄを省略し、通電制御に基づいて指定されたＨＯＴ表示面７３Ａ又はＣＯＬＤ表示面７３Ｂを開口部７０Ｂの背後に位置するように回転させるようにしても良い。
【００３４】
また、共振圧電モータ７４についてもひとつに限定されず、回転軸７２に対して正逆異なる回転方向への駆動力を付与する複数の共振圧電モータ７４をそれぞれ設けても良い。
【００３５】
また、駆動力が不足する場合には、同一の回転方向について駆動力を付与する複数の共振圧電モータ７４を併設しても良く、その配置は回転軸の長さ方向あるいは周方向に沿って配置しても良い。
【００３６】
また、共振圧電モータ７４を用いた表示切替装置は、上記した冷温表示のほかに、価格の切り替えや、売り切れ表示を自動的に表示させる用途に適用することもできる。
【００３７】
また、回転表示部７３は、上記した四角柱状のものに限定されず、六角柱状や、その他の多角柱状、あるいは円柱状であっても良い。
【００３８】
また、表面にＨＯＴと裏面にＣＯＬＤの文字を書いた板状部材を回転表示部として共振圧電モータ７４で回転駆動するようにしても良い。
【００３９】
図７は、本発明の第２の実施の形態に係る冷温表示部７を示し、ＨＯＴ表示面７６ＡとＣＯＬＤ表示面７６Ｂとを有する板状部材の表示部７６と、表示分７６の両端を摺動自在に支持するレール７６Ｄと、レール７６Ｄに設けられる窪み７６Ｅと、表示部７６に設けられる突起７６Ｃを有し、表示部７６を共振圧電モータ７４を用いて上昇させると、表示部７６は（ａ）に示すように窪み７６Ｅに突起７６Ｃ（同図においては説明の都合上、手前側のレール７６Ｄおよび窪み７６Ｅを図示していない）が弾性係合して固定されることによりレンズ７０Ｅを介してＨＯＴ表示面７６Ａを表示する。また、表示部７６を共振圧電モータ７４を用いて下降させると、表示部７６は（ｂ）に示すようにレンズ７０Ｅを介してＣＯＬＤ表示面７６Ｂを表示する。このように表示部７６を往復駆動させるようにしても良い。この場合、突起７６Ｃと窪み７６Ｅとの弾性係合は振動等の外力によって表示部７６が落下することがなく、かつ、共振圧電モータ７４の駆動力に基づいて解除可能な程度に固定されるようになっている。同図においては第１の実施の形態で説明した冷温表示部７と同一の構成を有する部分については共通する引用数字を付している。
【００４０】
上記した構成によると、板状部材の表示部７６を共振圧電モータ７４で往復移動させることにより、第１の実施の形態で説明した回転表示部７３より表示部７６を薄く形成することできる。また、動力伝達部材を介することなく表示部７６を直に駆動することができ、駆動系の構成を簡素化することができる。
【００４１】
なお、第２の実施の形態についても、共振圧電モータ７４は、非駆動時にセラミックスペーサ７４Ａが制動部材として作用するので、上記した突起７６Ｃおよび窪み７６Ｅを省略しても良い。但し、外力等による表示部７６の不用意な脱落を防ぐためには弾性係合や磁石を用いた磁力固定具による脱落防止構造を併用することが好ましい。
【００４２】
図８は、本発明の第３の実施の形態に係る冷温表示部７を示し、第１の面ＡにＨＯＴ表示面８０Ａと第２の面ＢにＣＯＬＤ表示面８０Ｂとを有する幕状の表示部８０と、表示部８０を屈曲させるとともに摺動自在に支持する軸８１と、表示部８０を紙面垂直方向に往復移動させる共振圧電モータ７４と、表示部８０、軸８１、および共振圧電モータ７４を収容するケース７０と、ケース７０の前面に設けられる透明なレンズ７０Ｅを有している。同図においては第１および第２の実施の形態で説明した冷温表示部７と同一の構成を有する部分については共通する引用数字を付している。
【００４３】
表示部８０は、例えば、適度な可撓性を有する樹脂フィルムや、耐候性に優れる生地材料や、これらの複合された材料によって形成することができる。例えば、軸８１に接する部分を可撓性に優れる生地で形成し、ＨＯＴ表示面８０ＡおよびＣＯＬＤ表示面８０Ｂを設ける部分を樹脂フィルムで形成しても良い。ＨＯＴ表示面８０Ａは、第１の面Ａにシール貼り付けによって設けられている。ＣＯＬＤ表示面８０Ｂは、ＨＯＴ表示面８０Ａと同様に第２の面Ｂにシール貼り付けによって設けられている。
【００４４】
この冷温表示部７では、（ａ）に示す状態において、レンズ７０Ｅの背後にＣＯＬＤ表示面８０Ｂが位置することにより、ＣＯＬＤ表示を行うことができる。また、ＣＯＬＤ表示をＨＯＴ表示に切り替えるときは、セラミックスペーサ７４Ａと当接している第１の面Ａを紙面上方向に移動させるように共振圧電モータ７４に電圧を一定時間で印加することにより、（ｂ）に示すようにＨＯＴ表示面８０Ａがレンズ７０Ｅの背後に配置される。
【００４５】
また、ＨＯＴ表示をＣＯＬＤ表示に切り替えるときは、（ｂ）に示す状態において、セラミックスペーサ７４Ａと当接している第１の面Ａを紙面下方向に移動させるように共振圧電モータ７４に電圧を一定時間で印加することにより、（ａ）に示すようにＣＯＬＤ表示面８０Ｂがレンズ７０Ｅの背後に配置される。
【００４６】
上記した構成によると、幕状の表示部８０を共振圧電モータ７４で直に往復移動させることにより、第１および第２の実施の形態で説明した回転表示部７３より表示部を小型に形成することできる。また、動力伝達部材を介することなく表示部８０を駆動することができ、駆動系の構成を簡素化することができる。また、レンズ７０Ｅの位置では、ＨＯＴ表示面８０ＡおよびＣＯＬＤ表示面８０Ｂが重なることがないので、前述の蛍光灯５Ａによる透過照明を阻害することもない。
【００４７】
なお、第３の実施の形態についても、軸８１は図示した円断面以外に楕円形や矩形といった他の断面形状を有していても良い。また、表示部８０を屈曲させることができれば軸以外の部材であっても良く、例えば、ケース７０の内部に一体的に形成されて表示部８０を屈曲可能に支持する突起であっても良い。
【００４８】
図９は、本発明の第４の実施の形態に係る冷温表示部７を示し、第１の面Ａ（外周面）にＨＯＴ表示面８０ＡとＣＯＬＤ表示面８０Ｂと加温中表示面８０Ｃとを有する幕状の表示部９０と、表示部９０を張架する一対の軸９１Ａおよび９１Ｂとを有する構成において第３の実施の形態と相違し、その他は同一の構成を有している。
【００４９】
上記した構成によると、表示部９０の第１の面Ａとセラミックスペーサ７４Ａを介して当接している共振圧電モータ７４に電圧を一定時間で印加することにより、ＨＯＴ表示面８０Ａ、ＣＯＬＤ表示面８０Ｂ、あるいは加温中表示面８０Ｃをレンズ７０Ｅの背後に選択的に配置させることができる。この場合には、表示部９０を一方向に駆動することで表示切替が可能になるので、共振圧電モータ７４の通電制御を簡略化することができる。
【００５０】
なお、上記した第４の実施の形態では、一対の軸９１Ａおよび９１Ｂで張架された表示部９０の外周面を共振圧電モータ７４によって駆動する構成を説明したが、例えば、表示部９０を４つの軸で張架し、そのことによって形成される空間に共振圧電モータ７４を配置してセラミックスペーサ７４Ａを表示部９０に内接させて駆動するようにしても良い。
【００５１】
また、ＨＯＴ表示面８０Ａ、ＣＯＬＤ表示面８０Ｂ、あるいは加温中表示面８０Ｃの位置決めを行うためのＣＣＤセンサや、受発光素子からなる光センサ等の位置決めセンサを設け、この位置決めセンサで表示部９０の位置を検出することによる位置検出信号に基づいて指定された位置にＨＯＴ表示面８０Ａ、ＣＯＬＤ表示面８０Ｂ、あるいは加温中表示面８０Ｃを配置するようにしても良い。
【００５２】
また、表示部９０についても、図示するような垂直方向に対する往復移動に限定されずに水平方向に対する往復移動を行うように構成しても良い。
【００５３】
本発明の表示切替装置は、上記した缶飲料の自動販売機に限定されず、米、電池、テレホンカード等の自動販売機の表示切替装置として適用することもできる。また、切り替える表示についても「販売中」、「売り切れ」等の表示に適用することもできる。
【００５４】
また、自動販売機以外の他の適用対象として、例えば、券売機に適用し、「販売中」、「販売中止」の表示切替を行わせるようにしても良い。
【００５５】
【発明の効果】
以上説明した通り、本発明の表示切替装置によると、表示部に直に接する共振圧電モータを用いて共振に基づいて表示の切り替えを行うようにしたため、部品点数を増加させることなく駆動力を確実に付与でき、簡素な構成で表示切替を確実に行うことができる。
【図面の簡単な説明】
【図１】第１の実施の形態に係る表示切替装置を搭載した缶飲料の自動販売機の正面図
【図２】自動販売機の商品展示部を示す部分側面図
【図３】第１の実施の形態に係る冷温表示部の斜視図
【図４】第１の実施の形態に係る冷温表示部を示し、（ａ）はＨＯＴ表示における左側面図、（ｂ）はＨＯＴ表示における正面図、（ｃ）はＨＯＴ表示における右側面図、（ｄ）はＣＯＬＤ表示における左側面図、（ｅ）はＣＯＬＤ表示における正面図、（ｆ）はＣＯＬＤ表示における右側面図
【図５】第１の実施の形態に係る共振圧電モータを示し、（ａ）は一部を開放した側面図、（ｂ）は圧電セラミックの背面図
【図６】（ａ）から（ｄ）は、共振圧電モータの動作を示す動作説明図
【図７】本発明の第２の実施の形態に係る表示切替装置の一部を開放した側面図、
【図８】本発明の第３の実施の形態に係る表示切替装置の一部を開放して示し、（ａ）はＣＯＬＤ表示時を示す側面図、（ｂ）はＨＯＴ表示時を示す側面図、
【図９】本発明の第４の実施の形態に係る表示切替装置の一部を開放した側面図
【符号の説明】
１、自動販売機本体　２、前面パネル　３、商品展示部　４、商品サンプル
５、商品展示台　５Ａ、蛍光灯　６、選択スイッチ部
６Ａ、押釦　７、冷温表示部　８、紙幣挿入部　９、金額表示部
１０、コイン投入口　１１、返却レバー　１２、コイン返却口
１３、商品取出口　１４、支持脚　１５、冷温表示制御部　１６、通電部
７０、ケース　７０Ａ、前面カバー　７０Ｂ、開口部　７０Ｄ、ガイド溝
７０Ｅ、レンズ　７１Ａ、軸受部　７１Ｂ、軸受部　７１Ｃ、保持部
７１Ｄ、段部　７２、回転軸　７２Ａ、回転規制突起　７２Ｂ、大径部
７２Ｃ、小径部　７３、回転表示部　７３Ａ、ＨＯＴ表示面
７３Ｂ、ＨＯＴ表示面　７４、共振圧電モータ　７４Ａ、セラミックスペーサ
７６、表示部　７６Ａ、ＨＯＴ表示面　７６Ｂ、ＣＯＬＤ表示面
７６Ｃ、突起　７６Ｄ、レール　７６Ｅ、窪み
８０、表示部　８０Ａ、ＨＯＴ表示面　８０Ｂ、ＣＯＬＤ表示面
８０Ｃ、加温中表示面　８１、軸　９０、表示部　９１Ａ、軸　９１Ｂ、軸
７４０、圧電セラミック　７４１、電極　７４２、電極　７４５、固定支持体
７４７、弾性支持体　７４９、弾性支持体　７５０、ケース　７５０Ａ、開口部
７５１、電極
【図１】
2004054524.tif 000003
【図２】
2004054524.tif 000004
【図３】
2004054524.tif 000005
【図４】
2004054524.tif 000006
【図５】
2004054524.tif 000007
【図６】
2004054524.tif 000008
【図７】
2004054524.tif 000009
【図８】
2004054524.tif 000010
【図９】
2004054524.tif 000011